(57)【要約】【課題】棚の脱落を抑制する。【解決手段】前方に開口を有する冷蔵庫本体と、冷蔵室棚板と、を備える冷蔵庫であって、冷蔵室棚板と冷蔵庫本体に挿通する固定部を有する。【選択図】図１
2016130591.tif 000002
【特許請求の範囲】
【請求項１】
前方に開口を有する冷蔵庫本体と、
冷蔵室棚板と、冷蔵室冷却パネルを備える冷蔵庫であって、
前記冷蔵室棚板と前記冷蔵庫本体または前記冷蔵室冷却パネルに挿通する固定部を有することを特徴とする冷蔵庫。
【請求項２】
前記冷蔵室棚板の一面側に、該冷蔵室棚板に取付可能な棚を有することを特徴とする請求項１に記載の冷蔵庫。
【請求項３】
前記冷蔵室棚板の他面側に固定した電気部品を有し、
該電機部品及び前記冷蔵室棚板の間に、電源部品収納部を有することを特徴とする請求項１又は２に記載の冷蔵庫。
【請求項４】
前記固定部は、前記冷蔵室棚板の下方側に設けられた穴を通っていることを特徴とする請求項１乃至３何れか一項に記載の冷蔵庫。
【発明の詳細な説明】
【技術分野】
【０００１】
本発明は、冷蔵庫に関する。
【背景技術】
【０００２】
特許文献１は、容器形状の棚７に設けた係合片７ａが、底部棚板９の係合穴９ａに係合する構成を開示している（段落００１２、００１４、図１，２）
【先行技術文献】
【特許文献】
【０００３】
【特許文献１】特許第３８８７９９８号公報
【発明の概要】
【発明が解決しようとする課題】
【０００４】
特許文献１の構成では、容器形状の棚７を取付ける底部棚板９が運搬時に生じる振動などで脱落する可能性がある。脱落を抑制するには、例えば予めテープ等で固定しておくことが望まれる。このため、コストの観点から改善の余地がある。
【課題を解決するための手段】
【０００５】
上記事情に鑑みてなされた本発明は、前方に開口を有する冷蔵庫本体と、冷蔵室棚板と、を備える冷蔵庫であって、前記冷蔵室棚板と前記冷蔵庫本体に挿通する固定部を有することを特徴とする。
【図面の簡単な説明】
【０００６】
【図１】実施例１に係る冷蔵室棚板２ｄを備えた冷蔵庫本体の一例を示す正面図
【図２】実施例１に係る冷蔵室棚板２ｄに取り付けられる半幅棚２ｂ、可変棚２ｃの斜視図
【図３】図１のＡ−Ａ断面図
【図４】図１のＢ−Ｂ断面図
【発明を実施するための形態】
【０００７】
以下、本発明の実施例を添付の図面を参照しつつ説明する。同様の構成要素には同様の符号を付し、同様の説明は繰り返さない。
【実施例１】
【０００８】
図１は本実施例の冷蔵室棚板２ｄを備えた冷蔵庫本体の正面図、図２は冷蔵室棚板２ｄに取り付けられる半幅棚２ｂ、可変棚２ｃの斜視図、図３は冷蔵庫本体のＡ−Ａ断面図、図４は冷蔵庫本体のＢ−Ｂ断面図である。
【０００９】
冷蔵庫本体１は内部に貯蔵室を構成する冷蔵室２、上段冷凍室３、製氷室４、下段冷凍室５、野菜室６等を備えている。冷蔵室棚２ａは、冷蔵室２の上方部に備えられ、筐体内壁に設けられている凸形状で支えられている。凸形状は複数存在し、収納する食品の形状に応じて、冷蔵室棚２ａの高さをある程度調整できるようになっている。
【００１０】
半幅棚２ｂと可変棚２ｃは、冷蔵室２の内側壁面の間に幅一杯になるよう併設して冷蔵室棚板２ｄ上に設けられている。半幅棚２ｂは係止部Ａ８ｘと係止部Ｂ８ｚで、冷蔵室棚板２ｄに固定されている。
【００１１】
半幅棚２ｂ側面板の下端には３〜５ｍｍ程度の高さを有する係合片を設けてあり、冷蔵室棚板２ｄ上面に設けられた係合穴に係合する。半幅棚２ｂをわずかに持ち上げると係合を解除できるため、使用者が清掃時などに自在に脱着できる。
【００１２】
可変棚２ｃを使用しないときは、上下反転させて冷蔵室棚板２ｄ上に設置して、少し高さの高い収納物をしまう際は、そのままの位置で上下反転させれば、冷蔵室２の右側空間を広くとることができるので、より多くの食品の高さに対応して収納効率良く食品を貯蔵できる。
【００１３】
なお、半幅棚２ｂと可変棚２ｃは、それぞれ冷蔵室棚板２ｄに取付可能であればよく、必ずしもその態様は係止に限定されない。例えばネジやボルト等を用いた固定でも良い。例えば係止であれば、使用者が取り外し容易であり、清掃性が向上する。例えば固定であれば、運搬時等における冷蔵室棚板２ｄからの半幅棚２ｂ、可変棚２ｃの脱落を抑制できる。
【００１４】
冷蔵室冷却パネル１２は、冷蔵室棚係止片１７を有しており、これに冷蔵室棚板２ｄを係止して、冷蔵室棚板２ｄの位置合わせや前後方向移動の抑制をしている。冷蔵室棚板２ｄを押し込むことで、冷蔵室棚係止片１７が弾性変形し、冷蔵室棚板２ｄの一部に引っ掛かる仕組みである。冷蔵室棚板２ｄを冷蔵室棚係止片１７よりも少し高い位置に持ち上げると、冷蔵室棚板２ｄとの係合を解除できる。
【００１５】
冷蔵室棚板２ｄの側面には、冷蔵室棚板２ｄの食品静置面に垂直方向に壁を形成した棚板フランジ９が設けられている。棚板フランジ９の前方側には、上下方向に突出し、穴１６を有する突起部が設けられている（例えば、図３参照）。突起部を冷蔵室棚板２ｄの上側に設ける（例えば、図３中の符号９）と、組立性の観点から好ましく、下側に設ける（例えば、図３中の符号１５）と、意匠性の観点から好ましい。
【００１６】
棚板係止用の穴１６にネジやボルト等の固定部を挿通して、冷蔵室２の内側壁面または、  冷蔵室冷却パネル１２に冷蔵室棚板２ｄを機械的に固定させてある。固定部は、係止片や凹凸等による係止や嵌合より強固な二部材の相対移動の抑制を実現していることが好ましく、例えば、冷蔵庫本体１と冷蔵室棚板２ｄ両者に挿通するネジやボルトを用いた締結が挙げられる。これにより、半幅棚２ｂの着脱時や、冷蔵庫本体の運搬時に生じる力を受けても、冷蔵室棚板２ｄの脱落を抑制できる。またネジやボルトの固定は、筐体をウレタン発泡した後工程が望ましい。例えば冷蔵室２の内側壁面に固定する際は、ウレタン発泡に貫通してより強固に係止できる。なお、棚板フランジの位置は、必ずしも冷蔵室棚板２ｄの前方側に限られないが、組立性の観点からは前方側が好ましい。なお、冷蔵室棚板２ｄは、後述する電機部品収納部２０ａが冷蔵室棚板２ｄと電気部品の間からはみ出さないように、テープ等でこれら何れかに貼付してある。
【００１７】
また、冷蔵室棚板２ｄの下方には、電気部品の一例である真空チルド室２０が設置されている。真空チルド室２０は、冷蔵室棚板２ｄの下方から位置ずれしないように固定されている。真空チルド室２０は電源部品収納部２０ａを有している。電源部品収納部２０ａは、真空チルド室２０と冷蔵室棚板２ｄの間を通って配されている。冷蔵室棚板２ｄと真空チルド室２０がともに貯蔵室内部で固定されているため、電源部品収納部２０ａが冷蔵室棚板２ｄと真空チルド室２０の間からはみ出すことを抑制できるため、電源部品収納部２０ａの絶縁被覆等を簡略化できる。電源部品収納部２０ａは、冷蔵庫本体１の背面側（貯蔵室開口の反対側）に設けてあるため、電源部品収納部２０ａが冷蔵室棚板２ｄと真空チルド室２０の間からはみ出すことをさらに抑制できる。
【００１８】
冷蔵室棚板２ｄは、透光性を抑えるよう、着色やシボ加工されている。このため、使用者が電源コード２０ａを目視することを抑制でき、意匠製を向上できる。なお、電源部品収納部２０ａは、必ずしも電機部品の電源でなくともよく、他の部材の電源を収納するものでも良い。
【００１９】
なお、本実施例では、冷蔵室棚板２ｄの一面側である上方側に半幅棚２ｂ及び可変棚２ｃを設け、他面側である下方側に真空チルド室２０を設けているが、上方側と下方側の位置関係を逆にしても良い。このときも、電源部品収納部２０ａは、電気部品と冷蔵室棚板２ｄの間に配する。また、半幅棚２ｂ、可変棚２ｃ及び電機部品の何れか一つ又は二つのみを備えていても良い。また、電気部品の他の例としては、ポンプやＬＥＤ、送風ファンやイオン発生装置などが挙げられる。
【符号の説明】
【００２０】
１      冷蔵庫本体
２      冷蔵室
２ａ    冷蔵室棚
２ｂ    半幅棚
２ｃ    可変棚
２ｄ    冷蔵室棚板
３      上段冷凍室
４      製氷室
５      下段冷凍室
６      野菜室
８ｘ    係止部１
８ｚ    係止部２
９      棚板フランジＡ
１０    食品収納棚板面
１２    冷蔵室冷却パネル
１５    棚板フランジＢ
１６    棚板係止用の穴
１７    冷蔵室棚板係止片
２０    真空チルド室（電気部品）
２０ａ    電源部品収納部
【図１】
2016130591.tif 000003
【図２】
2016130591.tif 000004
【図３】
2016130591.tif 000005
【図４】
2016130591.tif 000006